(57)【要約】【課題】      中古のノート型パーソナル・コンピュータに付着した汚れ、悪臭、傷などを除去して綺麗に再生し、購入者の購買意欲を高めることができるノート型パーソナル・コンピュータを提供する。【解決手段】  ノート型パーソナル・コンピュータ１において、上部カバー１２、液晶周り部１３およびパームレスト部２６のそれぞれの基体の外表面全体に、旧塗料層、該旧塗料層の上に下塗り層および該下塗り層の上に上塗り層が形成されている。【選択図】    図１
2006107088.tif 000002
【特許請求の範囲】
【請求項１】
中古のノート型パーソナル・コンピュータであって、上部カバー、液晶周り部およびパームレスト部のそれぞれの基体の外表面全体に、旧塗料層、該旧塗料層の上に下塗り層および該下塗り層の上に上塗り層が形成されていることを特徴とするノート型パーソナル・コンピュータ。
【請求項２】
前記上塗り層が模様を有していることを特徴とするノート型パーソナル・コンピュータ。
【請求項３】
前記上塗り層の上に模様が印刷されていることを特徴とするノート型パーソナル・コンピュータ。
【請求項４】
前記上塗り層が機能性塗料からなることを特徴とするノート型パーソナル・コンピュータ。
【請求項５】
前記上塗り層の上に機能性塗料がコーティングされていることを特徴とするノート型パーソナル・コンピュータ。
【請求項６】
中古のノート型パーソナル・コンピュータを解体して上部カバー、液晶周り部およびパームレスト部を取り外す工程と、前記上部カバー、液晶周り部およびパームレスト部に付着した汚れを除去する洗浄工程と、該洗浄したパームレスト部において塗装不必要部をマスキングする工程と、前記上部カバー、液晶周り部およびパームレスト部の外表面の旧塗料層を研磨する工程と、該研磨した上部カバー、液晶周り部およびパームレスト部の外表面の旧塗料層の上に下塗り用塗料を塗布する工程と、該下塗りした上部カバー、液晶周り部およびパームレスト部を強制乾燥する工程と、該強制乾燥した下塗り層の上に上塗り用塗料を塗布する工程と、該上塗りした上部カバー、液晶周り部およびパームレスト部を強制乾燥する工程と、前記上塗り層を形成した上部カバー、液晶周り部およびパームレスト部を他の部品と再度組立てる工程とを含むことを特徴とする中古ノート型パーソナル・コンピュータの再生方法。
【請求項７】
更に、前記再組立てしたノート型パーソナル・コンピュータにＯＳおよびソフトをインストールする工程を含むことを特徴とする中古ノート型パーソナル・コンピュータの再生方法。
【請求項８】
前記上塗り層を形成した後に模様を付ける工程を含むことを特徴とする中古ノート型パーソナル・コンピュータの再生方法。
【請求項９】
前記上塗り層を形成した後に機能性塗料を塗布する工程を含むことを特徴とする中古ノート型パーソナル・コンピュータの再生方法。
【発明の詳細な説明】
【技術分野】
【０００１】
本発明は高商品価値を有するように再生した中古ノート型パーソナル・コンピュータおよび中古ノート型パーソナル・コンピュータを商品価値の高い製品に再生する方法に関する。
【背景技術】
【０００２】
ノート型パーソナル・コンピュータはキーボード付の本体部と表示部（開閉自在な液晶部分）とが一体となっている形式が多く、デスクトップ型パーソナル・コンピュータとは異なり、従来、分解しないことを前提として組立てられている。そのため、ノート型パーソナル・コンピュータは古くなると、そのまま廃棄されてしまうことが多かった。
【０００３】
ノート型パーソナル・コンピュータはオフィスなどにおける設備面積の低減、可搬容易性、低消費電力などの理由によって広く普及している。加えて、パーソナル・コンピュータの精度の向上は著しく、基本ソフトウェア（ＯＳ）、演算速度、記憶容量などのレベルアップが極めて短時間に行われるために、企業などにおいてはノート型パーソナル・コンピュータの耐用可能年数の経過前でも、特にシステム全体の使用効率などを考慮し、短期間で買い替えることが多い。すなわち、ノート型パーソナル・コンピュータが驚異的なスピードで普及しており、性能向上のスピードも著しく、買い替えのサイクルも短くなってきている。
【０００４】
しかしながら、上述したようにノート型パーソナル・コンピュータはデスクトップ型パーソナル・コンピュータとは異なり、キーボードなどが設置されている本体部と表示部とが一体化されており、このためユーザーにとって不必要となったノート型パーソナル・コンピュータは、中古品として再利用されるごく限られた場合を除いて、従来は本体部および表示部が共に廃棄されていた。
【０００５】
一方、２００１年４月に特定家庭用機器再商品化法（家電リサイクル法）が本格施行されるなどして、近年、循環型社会を構築することに向けて活発化している。このように、環境保護の観点からパーソナル・コンピュータのリサイクルが求められているが、一般的に中古ノート型パーソナル・コンピュータは一部の販売店で小規模に扱われている程度で、あまり一般的ではなく、殆どの中古ノート型パーソナル・コンピュータは廃棄処分されているのが現状であった。
【０００６】
このような状況で、特許文献１（特開２００２−１６３０３５号公報）には、多くの中古ノート型パーソナル・コンピュータが耐用可能年数が経過しておらず、構成する各部品が充分に使用に耐える可能性が高い状態にあることに着目し、特に、高価な液晶部分を簡単に取外して再利用することによって、循環型社会を構築すると言う要請に応えることが提案されている。
【０００７】
また、特許文献２（特開２００３−２７１８４２号公報）には、同一メーカーの同一機種の中古パーソナル・コンピュータをウエブサーバーを介して複数購入できるようにすることによりパーソナル・コンピュータをそのままの状態で販売し再利用を促進することが提案されている。
【０００８】
【特許文献１】特開２００２−１６３０３５号公報
【特許文献２】特開２００３−２７１８４２号公報
【発明の開示】
【発明が解決しようとする課題】
【０００９】
上述した特許文献１に開示された方法では、ノート型パーソナル・コンピュータのごく一部の部品のみを再利用しており、他の部品は捨てられてしまう。この捨てられてしまう部品は、ノート型パーソナル・コンピュータの耐用年数が来ておらず、まだ充分に使えるということからすれば、極めて不経済なことである。
【００１０】
一方、特許文献２に開示されているような方法により、中古パーソナル・コンピュータの販売を促進しようとしても、中古パーソナル・コンピュータには販売に際しては既に相当期間使用されたことに付随する問題点がある。すなわち、中古型パーソナル・コンピュータでは、本体部や表示部に、使用者の吸うタバコのやにがこびり付いていたり、使用者の手の脂により黒いシミが付いていたり、また使用するにつれて傷などが付いている。特にノート型パーソナル・コンピュータは特定の個人が長時間に亘って使用しているため、このような汚れ、悪臭、傷などの問題が極めて大きく、このため、そのままこの中古のノート型パーソナル・コンピュータを販売しようとしても購入者の購買意欲を高めることができないという問題があった。
【００１１】
また、このような汚れ、悪臭、傷などの付いた中古のノート型パーソナル・コンピュータを売り場に展示すると、汚れ、悪臭、傷などのために売り場の雰囲気を暗くするという問題もあった。
【００１２】
本発明は、このような問題点に鑑みなされたものであって、使用によって中古ノート型パーソナル・コンピュータに付着した汚れ、悪臭、傷などを除去して綺麗に再生し、購入者の購買意欲を高めるようにしたノート型パーソナル・コンピュータを提供するものである。また、本発明においては、汚れたり、悪臭が付いたり、傷になった中古のノート型パーソナル・コンピュータを解体し、素材を洗浄後、各素材の段階で強制乾燥塗装して新品同様とし、そして再組立てすることによって新品と同様なノート型パーソナル・コンピュータに再生する方法を提供するものである。
【００１３】
この場合に、従来と同じ状態に塗装するだけではなく、更に美観に溢れた、また色や柄も革新的な塗装を行うことによって、中古のノート型パーソナル・コンピュータとの趣をなくし、新品以上の美観を呈するようにすることもできる。
【００１４】
また、更に、必要に応じてノート型パーソナル・コンピュータを作動させている基本ソフト（ＯＳ）、その他の操作ソフトを再インストールすることによって、ハード面のみならずソフト面においても斬新なものとすることによって、操作スピードや記憶容量などのごく一部の点においては再新鋭機よりも劣るが、その他の点においては再新鋭機と同程度、またはそれを凌ぐような性能とすることもできる。
【課題を解決するための手段】
【００１５】
本発明によれば、中古のノート型パーソナル・コンピュータであって、上部カバー、液晶周り部およびパームレスト部のそれぞれの基体の外表面全体に、旧塗料層、該旧塗料層の上に下塗り層および該下塗り層の上に上塗り層が形成されていることを特徴とするノート型パーソナル・コンピュータが提供される。前記上塗り層が模様を有していてもよいし、上塗り層の上に模様が印刷されていてもよい。また、上塗り層が機能性塗料からなっていてもよいし、上塗り層の上に機能性塗料がコーティングされていてもよい。
【００１６】
また、本発明によれば、中古のノート型パーソナル・コンピュータを解体して上部カバー、液晶周り部およびパームレスト部を取り外す工程と、前記上部カバー、液晶周り部およびパームレスト部に付着した汚れを除去する洗浄工程と、該洗浄したパームレスト部において塗装不必要部をマスキングする工程と、前記上部カバー、液晶周り部およびパームレスト部の外表面の旧塗料層を研磨する工程と、該研磨した上部カバー、液晶周り部およびパームレスト部の外表面の旧塗料層の上に下塗り用塗料を塗布する工程と、該下塗りした上部カバー、液晶周り部およびパームレスト部を強制乾燥する工程と、該強制乾燥した下塗り層の上に上塗り用塗料を塗布する工程と、該上塗りした上部カバー、液晶周り部およびパームレスト部を強制乾燥する工程と、前記上塗り層を形成した上部カバー、液晶周り部およびパームレスト部を他の部品と再度組立てる工程とを含むことを特徴とする中古ノート型パーソナル・コンピュータの再生方法が提供される。
【００１７】
更に、前記再組立てしたノート型パーソナル・コンピュータにＯＳおよびソフトをインストールする工程を含んでもよい。また、前記上塗り層を形成した後に模様を付ける工程を含んでもよく、前記上塗り層を形成した後に機能性塗料を塗布する工程を含んでもよい。
【発明の効果】
【００１８】
本発明によれば、中古ノート型パーソナル・コンピュータに付随する汚れ、悪臭、傷などを除去し、新品と同様に塗装し、また、適宜新品を凌ぐ外観にデザイン塗装したノート型パーソナル・コンピュータとすることができ、中古ノート型パーソナル・コンピュータに対するイメージを一新できる。
【００１９】
本発明によれば、中古ノート型パーソナル・コンピュータを再生することによる新品の半額以下の割安感や、最新色に新品塗装することにより、中古に対するイメージを一新でき、本来、メーカー品にないカラーリングの楽しみ方が増えることなどと相俟って、これまで中古を敬遠していた人も含め、パーソナル・コンピュータの初心者から新品の購入を検討している購買客まで広範囲に幅広くアピールすることができる。すなわち、業界初のデザイン塗装、機能性塗装などで新品、中古を含めて女性、子供をターゲットにした新しいノート型パーソナル・コンピュータの提案ができる。
【００２０】
本発明によれば、中古ノート型パーソナル・コンピュータを新品同様に再生でき、従来の汚れ、悪臭、傷などなどが付いた中古ノート型パーソナル・コンピュータとは異なり、再生され美麗なノート型パーソナル・コンピュータを店頭に展示することができ、売り場の雰囲気を良好とし、また、販売時にも、新品と同様に箱詰めし商品を渡すことにより、商品イメージが大幅に向上する。
【００２１】
本発明によれば、中古ノート型パーソナル・コンピュータにパールホワイトなど最新流行色塗装、季節に合せた塗装などをして再生することができるし、また、本来、メーカーにないオリジナル塗装などカラフル色のラインナップも作れる。
【００２２】
本発明によれば、中古ノート型パーソナル・コンピュータに手を加え、新品同様になった商品を再度使用してもらうことにより、循環型社会の構築に積極的に参加することができる。
【発明を実施するための最良の形態】
【００２３】
以下、図面を用いて、本発明の実施例を説明する。図１は、液晶ディスプレイ、キーボード、ポインティングデバイスなどの電子部品を備え、上部カバーを開いた状態とした通常の携帯型ノート型パーソナル・コンピュータの平面図、図２は図１に示す携帯型ノート型パーソナル・コンピュータの上部カバーを閉じた状態の平面図である。
【００２４】
図１に示すようにノート型パーソナル・コンピュータ１は、本体部１１、上部カバー１２、上部カバー１２と一体に組立てられ液晶部１７を支承する液晶周り部１３、キーボード１４、クリックボタンユニットなどの操作子１５などの部品により構成されている。本体部１１の上面後部には、上部カバー１２を回動自在に枢支する一対の枢支部２１、２２が設けられている。
【００２５】
本体部１１の上面に設けられたキーボード１４は、本体部１１のキーボード周り部１８から脱着可能な構造となっている。本体部１１のキーボード１４に隣接する前部には、パームレスト部２６が設けられ、ユーザーがキーボード１４により入力作業をする際に手が添えられるエリアとして利用される。このパームレスト部２６の中央には、ポインティングデバイス配置エリア１６が凹部をなして形成されており、このエリア１６に適当な種類、構造のポインティングデバイス１５が着脱可能に配置される。
【００２６】
この携帯型ノート型パーソナル・コンピュータは或る期間使用されると、本体部１１の上面や液晶周り部１３に使用者の吸うタバコのやにがこびり付いていたり、使用者の手の脂により黒いシミがパームレスト部２６などに付いていたり、また使用するにつれて本体部１１や上部カバー１２などに傷などが付く。そのため、このノート型パーソナル・コンピュータをそのまま中古ノート型パーソナル・コンピュータとして販売しようとしても、購入者の購買意欲を高めることができず、また、このような汚れ、悪臭、傷などの付いた中古のノート型パーソナル・コンピュータの展示により売り場の雰囲気を暗くする。
【００２７】
このような問題を解消するために、本発明は、中古ノート型パーソナル・コンピュータに付随する汚れ、悪臭、傷などなどを除去し、新品と同様に塗装し、また、適宜新品を凌ぐ外観にデザイン塗装したノート型パーソナル・コンピュータとするものである。
【００２８】
すなわち、本発明、中古のノート型パーソナル・コンピュータを解体して上部カバー１２、液晶周り部１３およびパームレスト部２６を取り外す工程と、前記上部カバー１２、液晶周り部１３およびパームレスト部２６に付着した汚れを除去する洗浄工程と、該洗浄したパームレスト部２６において塗装不必要部をマスキングする工程と、前記上部カバー１２、液晶周り部１３およびパームレスト部２６の外表面の旧塗料層を研磨する工程と、該研磨した上部カバー１２、液晶周り部１３およびパームレスト部２６の外表面の旧塗料層の上に下塗り用塗料を塗布する工程と、該下塗りした上部カバー１２、液晶周り部１３およびパームレスト部２６を強制乾燥する工程と、該強制乾燥した下塗り層の上に上塗り用塗料を塗布する工程と、該上塗りした上部カバー１２、液晶周り部１３およびパームレスト部２６を強制乾燥する工程と、前記上塗り層を形成した上部カバー１２、液晶周り部１３およびパームレスト部２６を他の部品と再度組立てる工程とを含むことを特徴とする中古ノート型パーソナル・コンピュータの再生方法である。
【００２９】
通常、ノート型パーソナル・コンピュータはキーボード１４付の本体部１１と上部カバー１２（液晶部１７とともに開閉自在な部分）とが一体となっている形式が多く、デスクトップ型パーソナル・コンピュータとは異なり、従来、分解しないようになっている。しかし、一対の枢支部２１、２２から外すことにより本体部１１と上部カバー１２（液晶部１７および液晶周り部１３を含む）とを分解することができ、また、特殊なコツにより組立てと逆手順を行ない本体部１１を上部と下部に分解することができる。更に、本体部１１の上面のキーボード１４は本体部１１のキーボード周り部１８から脱着可能である。また、組立てと逆手順により、上部カバー１２と液晶部１７と液晶周り部１３とに分解する。このようにして、取り外し工程において、中古のノート型パーソナル・コンピュータを解体して上部カバー１２、液晶周り部１３およびパームレスト部２６を取外すことができる。なお、図示した実施例では本体部１１の上部にキーボード周り部１８があるので、この部品も再塗装に回した。
【００３０】
次いで、洗浄工程において、ｎ−ヘキサンや溶剤などを使い、上部カバー１２、液晶周り部１３、パームレスト部２６などに付着した汚れや手の脂などの洗浄をし、また、剥離剤を用いてメーカーロゴなどの各種シール剥しを行なう。この際に、表面の汚れを除去するように、元の塗料を若干落とす程度とすることが好ましい。
【００３１】
マスキング工程において、上述のように洗浄した上部カバー１２、液晶周り部１３およびパームレスト部２６のうち、回路回りなどの塗装不必要部をマスキングテープやマスキングシートによってマスキングする。
【００３２】
次いで、研磨工程において、上部カバー１２、液晶周り部１３、パームレスト部２６などの外表面の旧塗料層を、例えば、６００番手以上のペーパーでサンデングして、研磨して表面をざらざらにし、後述のように新たに塗装した塗装層と元の塗装層との粘着を強化する。
【００３３】
本発明に係る中古品塗装の場合、新品塗装と違い下塗り、上塗りをする。すなわち、下塗り用塗料を塗布する工程において、研磨した上部カバー１２、液晶周り部１３、パームレスト部２６などの外表面の旧塗料層の上に下塗り用塗料を塗布し、中古ノート型パーソナル・コンピュータに粘着が良く綺麗な塗装ができ上がるようにする。下塗り用塗料としては、万能プライマー、超防錆万能プライマー、２液アクリルプライマー、Ｍｇ合金用１液プライマー、その他プライマーを用いることができる。なお、元の色と異なる色に塗装する場合などは、これら下塗り用プライマーに上塗り用の塗料を混合して調合することにより、上塗り用の塗料を２度塗りしたような効果を出すことができる。
【００３４】
次いで、強制乾燥工程において、下塗りした上部カバー１２、液晶周り部１３、パームレスト部２６などを強制乾燥する。本来、乾燥時間が違う素材パーツを、この強制乾燥工程では、例えば、マグネシウム、ＡＢＳカーボンおよびＡＢＳ樹脂の場合、温度６０度〜７０度出乾燥時間３０分の条件で一度に同時に強制乾燥する。熱を加えて強制乾燥することにより、自然乾燥と異なり強固な塗膜を形成できる。また、複数の素材パーツを同一条件で一度に同時に乾燥することにより、コストダウンを図り経済性を高めている。なお、強制乾燥温度は８０度以下、乾燥時間は３０分以内とすることが好ましい。ちなみに、上部カバーに使用されることが多いマグネシウム合金は通常焼付け塗装が行なわれ、焼付け温度１６０度〜１８０度、乾燥時間２０分程度であり、パームレスト部に使用されることが多いＡＢＳカーボンは通常の強制乾燥条件が温度５０度前後、乾燥時間４０分程度であり、液晶周り部に使用されることが多いＡＢＳ樹脂は通常の強制乾燥条件が温度５０度前後、乾燥時間４０分程度である。
【００３５】
上塗り用塗料を塗布する工程において、上述のように強制乾燥した下塗り層の上に上塗り用塗料を塗布する。なお、好ましくは、下塗り後、強制乾燥状態をチェックし指触乾燥した状態で、１０００番以上のペーパーで表面のザラ取りをし塗装する。上塗り用塗料としては、例えば、アクリル塗料、ウレタン塗料、アクリルウレタン塗料、アクリルシリコン塗料、ポリエステル塗料、エポキシ系特殊塗料、合成樹脂塗料などを用いることができる。
【００３６】
実際に、下塗り用塗料と上塗り用塗料とは色、粘着を良くするため、例えばそれぞれに適合するように調合したアクリルウレタン系の同色の塗料を使用して、中古品新品塗装の完成度（ゴミ防止）向上のため、反艶と艶消しの間のグロス３０〜３５ぐらいで光沢を落とすように調合したところ、非常に好ましい仕上りとなった。
【００３７】
このように、上塗り塗装により、パールホワイトなど最新流行色塗装、季節に合せた塗装、更にまた、メーカーにないオリジナル塗装などカラフル色のラインナップカラーリング塗装を行なうこともでき、中古ノート型パーソナル・コンピュータを新品と同様に再生する。この際に、カラーリング塗装と同時にまたはカラーリング塗装に加えてデザイン塗装など、すなわち、上塗り層の形成時に花柄などの種々模様を付けてもよいし、上塗り層を形成した後にシルク印刷などにより種々の模様を印刷を行ってもよい。
【００３８】
更に、上塗り用塗料に種々の機能性塗料を調合して、または上塗り用塗料として機能性塗料を使用して塗装し手もよい。或いは、上塗り後に機能性塗料を更に塗ってもよい。機能性塗料としては、次のようなものを使用できる。
【００３９】
光触媒（例えば住友チタニウム（株）の可視光型光触媒など）は室内でも光触媒反応する触媒を含む塗料で強制乾燥塗装する。光触媒塗料効果として、抗菌やアセトアルデヒドのアンモニア分解などがあり、病院専用殺菌パーソナル・コンピュータや健康パーソナル・コンピュータ、ペット臭削除パーソナル・コンピュータなどに用いることができる。
【００４０】
無機系セラミック塗料（例えば（株）日板研究所の無機質系コーティング剤セラミカなど）はタバコ臭、ペット臭、アンモニア臭、などを直ちに酸化させ分解できる。また、シックハウス症候群の原因とされるホルムアルデヒド（ＶＯＣ  揮発性化学物質など）は機能性塗料に添加された銀イオンが触媒になり、直ちに酸化され安全な化合物となり、無害化・無臭化される。
【００４１】
マイナスイオン塗料（例えばクニミ工業などの商品）を強制乾燥塗装すると、四季、温度変化の元で安定して一定量のマイナスイオンを発生させ、健康パーソナル・コンピュータが実現される。
【００４２】
抗菌塗料（例えば武蔵塗料（株）のコーキンプラエース  ＢＩ−Ａ７１６ＡＭなど）は、病院専用殺菌パーソナル・コンピュータや健康パーソナル・コンピュータに適する。
【００４３】
なお、本発明における下塗り塗装、上塗り塗装には、サテン塗装、ソリッド塗装、メタリック塗装、パール塗装、模様塗装、ラバー塗装などを適用することができる。
【００４４】
次いで、強制乾燥工程において、上塗りした上部カバー１２、液晶周り部１３、パームレスト部２６などを強制乾燥する。この強制乾燥条件は、下塗り時の強制乾燥条件と同様とできる。
【００４５】
その後、組立て工程において、上塗り層を形成し強制乾燥された上部カバー１２、液晶周り部１３およびパームレスト部２６を他の部品とともに再度組立てて、ノート型パーソナル・コンピュータ１とする。また、適宜、再組立てしたノート型パーソナル・コンピュータ１にＯＳおよびソフトをインストールしてもよい。
【００４６】
以上により、中古のノート型パーソナル・コンピュータであって、図３に示すように、上部カバー１２、液晶周り部１３およびパームレスト部２６のそれぞれの基体３０の外表面全体に、旧塗料層３１、旧塗料層３１の上に下塗り層３２および下塗り層３２の上に上塗り層３３が形成されている本発明に係るノート型パーソナル・コンピュータ１が得られる。また、上述の説明から明らかなように、本発明のノート型パーソナル・コンピュータの上塗り層は適宜模様を有したり、上塗り層の上に模様が印刷されていてもよい。また、本発明のノート型パーソナル・コンピュータの上塗り層が機能性塗料からなっていてもよいし、上塗り層の上に機能性塗料がコーティングされていてもよい。
【図面の簡単な説明】
【００４７】
【図１】ディスプレイ、キーボード、ポインティングデバイスなどの電子部品を備え、上部カバーを開いた状態とした携帯型ノート型パーソナル・コンピュータの平面図である。
【図２】図１に示す携帯型ノート型パーソナル・コンピュータの上部カバーを閉じた状態の平面図である。
【図３】本発明に係るノート型パーソナル・コンピュータの一実施例の上部カバー、液晶周り部またはパームレスト部の外表面の塗装状態を模式的に示す拡大断面図である。
【符号の説明】
【００４８】
１  ノート型パーソナル・コンピュータ
１１  本体部
１２  上部カバー
１３  液晶周り部
１４  キーボード
１７  液晶部
２１、２２  枢支部
２６  パームレスト部
【図１】
2006107088.tif 000003
【図２】
2006107088.tif 000004
【図３】
2006107088.tif 000005